(57)【要約】【課題】吊るした洗濯物がロープ上を滑らず、効率的に乾燥できるようにすると共に、ロープ痕や皺が残らないようにする。【解決手段】一対の挟み部材の略中央位置を支点部とし、支点部より前方側に挟持部と、後方側に把持部とを有し、この一対の挟み部材の挟持部を開閉自在とし、挟持部が閉じる方向に弾性を付勢する弾性部材を取付けた洗濯バサミにおいて、前記一対の挟み部材の支点部と挟持部間に、ロープを通すためのロープ通し孔を設け、該ロープ通し孔の内周面に少なくとも１つの突起を設けた構成である。【選択図】図１
2014104010.tif 000002
【特許請求の範囲】
【請求項１】
一対の挟み部材の略中央位置を支点部とし、支点部より前方側に挟持部と、後方側に把持部とを有し、この一対の挟み部材の挟持部を開閉自在とし、挟持部が閉じる方向に弾性を付勢する弾性部材を取付けた洗濯バサミにおいて、前記一対の挟み部材の支点部と挟持部間に、ロープを通すためのロープ通し孔を設け、該ロープ通し孔の内周面に少なくとも１つの突起を設けた洗濯バサミ。
【請求項２】
前記突起は挟み部材の支点部側から挟持部側に突出する先端が尖った突起である請求項１記載の洗濯バサミ。
【請求項３】
前記ロープ通し孔をロープ径より大きい巾広部分とロープ径より小さい狭小部分とで構成し、前記巾広部分を挟持部側に配置すると共に、狭小部分を支点部側に配置し、巾広部分から狭小部分に向けて次第に狭くなるように形成されている請求項１記載の洗濯バサミ。
【発明の詳細な説明】
【技術分野】
【０００１】
本発明は洗濯物を干す際に利用する洗濯バサミに関する。
【背景技術】
【０００２】
従来より、洗濯バサミは、下記先行技術文献に示すようなものがあり、金属製の竿や合成樹脂製のロープなどに洗濯物を干す際に、洗濯物が風などによる落下や、物干し竿やロープでの移動を防ぎ、洗濯物を係止するために利用されている。
【０００３】
従来からある洗濯バサミは、挟み部材の前方側に挟持部を、後方側には把持部を有し略中央の支点部で互いに軸止され一対となった両挟み部材が、把持部に設けた切り欠け部を通し支点部を跨ぎ、弾性を付勢する弾性部材の端部が挟持部背面を押圧し、挟み部材が開閉できるよう取付けられ、挟持部が洗濯物を挟持するようになっている。
【先行技術文献】
【特許文献】
【０００４】
【特許文献１】特開２０１２−４０４号公報
【特許文献２】特開２００５−２４６０２６号公報
【特許文献３】特許第３２２９５２３号公報
【発明の概要】
【発明が解決しようとする課題】
【０００５】
従来の洗濯バサミを以って洗濯物を干す際に、脱水され水分を含んだ洗濯物を何枚もロープに掛けると、これらの重量によりロープがたるみ傾斜ができ、この傾斜により洗濯物は中央部やロープの低い位置に寄せ集められる。結果、洗濯物どうしが密着し日当たりや風通しを悪くし乾燥に時間を要している。
【０００６】
室外での乾燥は、排気ガス、煤煙、黄砂、花粉、下着泥棒、梅雨時や突然の降雨などの心配がある。雨が心配される時は湿度も高く、洗濯物どうしが密着すると乾きも遅く臭い発生の原因ともなっている。これらの要因で洗濯物の室内乾燥の機会は多いが、室内で物干し竿の利用は不便である。
【０００７】
風の影響やロープの傾斜による洗濯物の移動は皺が発生する。皺を防ぐために洗濯物を左右に広げ、ロープを跨ぐように二つ折りにして掛けられ係止されるが、ロープに当接する二つ折り部分は乾燥後、線状に長く強くロープ痕が皺となって残りアイロン掛けの手間が発生する。
【０００８】
ロープに干された洗濯物を素早く取り込むと、洗濯物を掴んだ挟持部と支点部の間にロープを内抱した洗濯バサミは、強力に引っ張られたことによりロープが支点部を押し開き、弾性部材と支点部間に移動する。この移動の際に一対となった両挟み部材の軸止が外れ、洗濯バサミは壊れ使用不能となる。
【０００９】
室内外にかかわらずロープを利用して洗濯物を干す場合、ロープの両端部が、強力に引っ張られ固定されたロープでも、前記事象等が発生する。
【００１０】
本発明は上記課題を解消し、ロープに吊るした洗濯物を効率的に乾燥できるようにすると共に、ロープ痕や皺が残らない洗濯バサミを提供するものである。  
【課題を解決するための手段】
【００１１】
請求項１に係る洗濯バサミは、一対の挟み部材の略中央位置を支点部とし、支点部より前方側に挟持部と、後方側に把持部とを有し、この一対の挟み部材の挟持部を開閉自在とし、挟持部が閉じる方向に弾性を付勢する弾性部材を取付けた洗濯バサミにおいて、前記一対の挟み部材の支点部と挟持部間に、ロープを通すためのロープ通し孔を設け、該ロープ通し孔の内周面に少なくとも１つの突起を設けた構成である。
【００１２】
請求項２に係る洗濯バサミは、前記突起は、挟み部材の支点部側から挟持部側に突出する先端が尖った突起で構成されている。
【００１３】
請求項３に係る洗濯バサミは、前記ロープ通し孔をロープ径より大きい巾広部分とロープ径より小さい狭小部分とで構成し、前記巾広部分を挟持部側に配置すると共に、狭小部分を支点部側に配置し、巾広部分から狭小部分に向けて次第に狭くなるように形成されている。
【発明の効果】
【００１４】
請求項１の発明によれば、洗濯物を干す際のロープ利用者にとって、ロープ通し孔に突出させて設けた突起が、ロープの撚り合わせ部分の凹部に係合してロープから洗濯バサミの移動が阻止され、洗濯バサミで挟持された洗濯物が、たるみ傾斜したロープを滑りロープの低位置に寄せ集められることを防ぎ、また洗濯物が風によりロープの中央付近や低位置に寄せ集められることがなく、適宜な間隔をもって干すことが可能である。従って、傾斜が大きいロープに洗濯物を干した際に、洗濯物を止めた洗濯バサミの横に、滑り止めを防ぐもう一つ他の洗濯バサミを隣に係止して、洗濯バサミを洗濯バサミで止める必要もなくなる。
【００１５】
また、洗濯物が滑らないように、ロープに洗濯物を跨ぐように二つ折りにして掛け干した際にできる、左右に長く線状の強い乾き皺の発生を防ぐことができ、アイロン掛けの手間が不要となる。
【００１６】
排気ガス、煤煙、黄砂、降雨が心配な曇天や梅雨時、下着泥棒や花粉症と洗濯物を室外に干すには悪い条件下で、洗濯物どうしの密着がないため乾燥も早く、乾燥後に起きる臭いの問題も解決でき室内干しも可能となる。
【００１７】
請求項２の発明によれば、洗濯物を吊り下げた際に、洗濯ばさみが洗濯物の重量により自然に先端の尖った突起８がロープに食い込む方向に移動し、洗濯バサミ１の滑り止めが確実にできる。
【００１８】
請求項３の発明によれば、洗濯物の重量により、広巾部分に通されたロープが洗濯物バサミのロープ通し孔の狭小部に移動する。ロープ通し狭小部分は次第に狭くなっており、ロープを両サイドから挟み押圧し、洗濯バサミの滑り止め係止力が増加する。
【発明を実施するための形態】
【実施例１】
【００１９】
この発明に係る洗濯バサミの第１実施例を図１乃至図４に基づいて説明する。
洗濯バサミ１の構成は、一対の挟み部材２、２の略中央位置に支点部６を設け、支点部６より前方側に洗濯物１３を掴む挟持部４と、後方側に指で挟み押圧する把持部３とを有し、一対の挟み部材２、２の挟持部４を開閉自在とし、挟持部４が閉じる方向に弾性を付勢する弾性部材７を取付けて構成している。
【００２０】
弾性部材７は湾曲形成されており、その両端部は、両挟み材２、２に設けた切り欠き部１０、１０を通し、支点部６を跨ぎ、両挟み部材２、２の挟持部４の背側に係止され、把持部３を指で押圧したり、緩めることで挟持部４を開閉でき、洗濯物１３の取付け、取外しができる。図２は、弾性部材７を除いた図である。
【００２１】
支点部６で軸止され一対となった挟み部材２，２の挟持部４と支点部６との間に、ロープ１２を通すロープ通し孔５を設けている。
ロープ通し孔５は、ロープ径より大きい巾広部分１１とロープ径より小さい狭小部分１４とで構成され、巾広部分１１が挟持部４側に、狭小部分１４が支点部６側に配置され、巾広部分１１から狭小部分１４に向けて次第に狭くなる形状である。狭小部分１４の大きさはロープ径より小さく、挟み部材２，２の略中央に設けた支点部６の軸止が解除されない形状、大きさである。
【００２２】
ロープ通し孔５の内方には、一対の挟み部材２．２の略中心線上であって支点部６側から挟持部４側に向けて突出する円錐形の突起８を設けている。
【００２３】
図４に示すように、ロープ１２は、小径のロープ材が複数撚り合され、径が大きいロープ１２となって成型されている。ロープ１２は、径が大きく太い部分と、径が小さい谷とで撚り合されてでき、谷は溝１５となっている。
【００２４】
突起８は、一対の挟み部材２．２の略中心線上であって挟持部４側に突出しているので、洗濯物を吊り下げた際に、洗濯ばさみ１が洗濯物の重量により自然に突起８がロープ１２に食い込む方向に移動し、洗濯バサミ１の滑り止めが確実にできるのである。
【００２５】
洗濯バサミ１で洗濯物１３を挟みロープ１２に吊り下げた時に、ロープ１２の山の部分に突起８が係止された場合においても、ロープ１２は固く成型されてあり突起８は、洗濯物１３の重量や振動、風で溝１５に自然に移動し強く係止される形状である。
【００２６】
未使用時の洗濯物バサミ１は、挟持部４を閉じた状態で、ロープ通し孔５の広巾部分１１にロープ１２を収め、挟持部４を上方側に、把持部３を下方側に向け掛けられ任意位置に移動、回転でき放置できる。  
【００２７】
洗濯バサミ１を以って、洗濯物１３をロープ１２に干す手順は以下である。
未使用時の状態でロープ１２に掛けられた洗濯物バサミ１の把持部３、３を指で挟み、挟持部４、４を開き、洗濯物１３を挟み指を解放する。洗濯物の重量により洗濯バサミ１は下方に引っ張られ、ロープ１２は、巾広部分１１から狭小部分１４に移動し、ロープ１２の溝１５に突起８が入り込んで係止される。
【００２８】
また、洗濯物の重量により、広巾部分１１に通されたロープ１２が洗濯物バサミ１の狭小部分１４に移動する。狭小部分１４は次第に狭くなっており、ロープ１２を両サイドから挟み押圧し、洗濯バサミの滑り止め係止力が増加するようになっている。
【００２９】
更に、風やロープ１２の傾斜により洗濯物１３は、洗濯バサミ１と同様にロープ１２に対して傾くが、ロープ１２の下方側が、挟み部材２の角に当接する。当接部分に傾きを止める反発力が生じ、洗濯バサミの滑り止め係止力をより一層増加するようになっている。
【実施例２】
【００３０】
この発明に係る洗濯バサミ１の第２実施例を図５に基づいて説明する。
この実施例は、突起の異なる事例を示し、ロープ通し孔５の狭小部分１４に側方から突出する突起９を設けた洗濯バサミ１の実施例である。
【００３１】
洗濯物１３を挟み重量を増した洗濯バサミ１は、ロープ１２が巾広部分１１から狭小部分１４に移動し、ロープ１２は、狭小部分１４と、狭小部分１４に設けた突起９の左右の方向から押圧されると同時に、洗濯バサミ１は、狭小部分に設けた突起９により、ロープ１２に対してサイドから捻れの力を受け、ロープ１２をより強く押圧し、洗濯バサミ１の滑り止めを確実にできるのである。
【実施例３】
【００３２】
この発明に係る洗濯バサミ１の第３実施例を図６に基づいて説明する。
この実施例は、突起の異なる事例を示し、ロープ通し孔５の支点部側の略中央に突起９ａと、阻止端部１４ｂを配した洗濯バサミ１の実施例である。
【００３３】
突起９ａは、以下の特徴を有す。干された洗濯物を素早く引っ張ると、ロープ通し孔５の
挟時部４側と支点部６側の間に係止されていたロープ１２は、軸止された挟み部材２、２の支点部６を強引に開き、弾性部材７と支点部６の間に移動し、挟み部材２、２の軸止が解除され洗濯バサミ１の構成は壊れる。この時、突起９ａの阻止端部１４ｂでロープ１２を受け止める状態となり、ロープ１２の支点部６と弾性部材７の間への移動を阻止でき洗濯バサミ１が壊れることを防ぐ。
【００３４】
阻止端部１４ｂは、挟み部材２の挟時部４側の巾広部分１１から、支点部６側の挟小部分１４に向けて次第に狭くなる突起９ａの端部にあって、対向する挟み部材２の方向に突出した形状である。この場合の突起９ａの支点部６側は狭小部分１４より高い構成である。
【００３５】
ロープ１２は、洗濯物１３を掴んだ洗濯バサミ１のロープ通し孔５の巾広部分１１から、支点部６側の次第に狭くなった突起９ａ側に移動し、突起９ａがロープ１２の１個所を押圧する。この押圧されたロープ１２の、対向する側に配された挟み部材２の内側の両端が、前述の押圧された１個所の逆側から対抗し両サイドの２箇所を押圧する。ロープ１２は３箇所から挟まれ押圧され、洗濯物を掴んだ洗濯バサミ１の移動、滑り止めを確実にできるのである。
【実施例４】
【００３６】
この発明に係る洗濯バサミ１の第４実施例を図７に基づいて説明する。
この実施例は、突起の異なる事例を示し、ロープ通し孔５の支点部側に突起９ａを配し、この突起９ａ上に突起８ａを設けた構成の洗濯バサミ１の実施例である。突起９ａは挟時部４から支点部６側に近づくほど狭くなる形状であり、突起９ａは狭小部分１４より高い構成である。
【００３７】
ロープ１２は、洗濯物を掴んだ洗濯バサミ１のロープ通し孔５の中で、支点部６側に移動し突起９ａの狭い部分で押圧されながら突起８ａ方向へすすみ、溝１５に突起８ａが食い込み係止される。ロープ１２は、両挟み部材２、２の３箇所から押圧されると共に、突起８ａにより係止され洗濯物を掴んだ洗濯バサミ１の移動、滑り止めを確実にできるのである。
【００３８】
なお、上記各実施例の一部では、突起は１つで形成しているが、本発明はこれに限定されるものではなく、２つ以上の突起を設けてもよく、突起の形状もロープ通し孔５の内周面に凹凸を設けたりなど上記実施例に限定されるものではない。
【００３９】
また、ロープ通し孔５の内周面をシリコンやゴムなどのゴム性部材で形成すると、ロープ１２への係止力をより強固にできる。
【図面の簡単な説明】
【００４０】
【図１】本発明の第１実施例の正面図
【図２】同上の分解斜視図
【図３】同上の図２のＡ部拡大図
【図４】同上のロープを通した状態を示す部分拡大図
【図５】本発明の第２実施例を示す正面図
【図６】本発明の第３実施例を示す部分拡大図
【図７】本発明の第４実施例を示す部分拡大図
【符号の説明】
【００４１】
１            洗濯バサミ  
２            挟み部材
３            把持部      
４            挟持部
５            ロープ通し孔
６            支点部
７            弾性部材
８、８ａ，９，９ａ    突起
１０          切り欠き部
１１          巾広部分
１２          ロープ
１３          洗濯物
１４          狭小部分
１４ｂ        阻止端部
１５          溝
【図１】
2014104010.tif 000003
【図２】
2014104010.tif 000004
【図３】
2014104010.tif 000005
【図４】
2014104010.tif 000006
【図５】
2014104010.tif 000007
【図６】
2014104010.tif 000008
【図７】
2014104010.tif 000009
【手続補正書】
【提出日】平成25年2月12日(2013.2.12)
【手続補正１】
【補正対象書類名】特許請求の範囲
【補正対象項目名】全文
【補正方法】変更
【補正の内容】
【特許請求の範囲】
【請求項１】
一対の挟み部材の略中央位置を支点部とし、支点部より前方側に挟持部と、後方側に把持部とを有し、この一対の挟み部材の挟持部を開閉自在とし、挟持部が閉じる方向に弾性を付勢する弾性部材を取付けた洗濯バサミにおいて、前記一対の挟み部材の支点部と挟持部間に、ロープを通すためのロープ通し孔を設け、該ロープ通し孔の内周面に、前記一対の挟み部材の支点部側から挟持部側に向けて少なくとも１つの突出する先端が尖った突起を設けた洗濯バサミ。
【手続補正２】
【補正対象書類名】明細書
【補正対象項目名】００１２
【補正方法】変更
【補正の内容】
【００１２】
また、前記突起は、挟み部材の支点部側から挟持部側に向けて突出する先端が尖った突起で構成されている。
【手続補正３】
【補正対象書類名】明細書
【補正対象項目名】００１３
【補正方法】変更
【補正の内容】
【００１３】
【手続補正４】
【補正対象書類名】明細書
【補正対象項目名】００１７
【補正方法】変更
【補正の内容】
【００１７】
さらに、洗濯物を吊り下げた際に、洗濯バサミが洗濯物の重量により自然に先端が尖った突起８がロープに食い込む方向に移動し、洗濯バサミ１の滑り止めが確実にできる。
【手続補正５】
【補正対象書類名】明細書
【補正対象項目名】００１８
【補正方法】変更
【補正の内容】
【００１８】
【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
一対の挟み部材の略中央位置を支点部とし、支点部より前方側に挟持部と、後方側に把持部とを有し、この一対の挟み部材の挟持部を開閉自在とし、挟持部が閉じる方向に弾性を付勢する弾性部材を取付けた洗濯バサミにおいて、前記一対の挟み部材の支点部と挟持部間に、ロープを通すためのロープ通し孔を設け、該ロープ通し孔の内周面に、前記一対の挟み部材の支点部側から挟持部側に向けて少なくとも１つの突出する先端が尖った突起を設けた洗濯バサミであって、前記突起が、ロープの撚り合わせ部分の凹部に係合して洗濯バサミの移動が阻止されることを特徴とする洗濯バサミ。